(57)【要約】【課題】  お弁当等に好適で、家庭においても容易に作成可能な棒状の海苔巻きご飯の包装形態が得られるようにする。【解決手段】表側と裏側の２枚のシート２、３よりなる２層構造で、それぞれのシート２、３は両側に分離可能であり、かつ、それぞれのシート２、３の間を海苔Ｎの収納スペースＳとし、裏側のシート２、３面上に分離する方向に沿って配置されるご飯Ｒに、収納スペースＳに海苔Ｎが配置された両シート２、３が一体に巻き付けられて棒状の包装体Ｆを形成するように使用されることを特徴とする海苔巻きご飯の包装材。【選択図】図１
2009184727.tif 000002
【特許請求の範囲】
【請求項１】
表側と裏側の２枚のシートよりなる２層構造で、前記それぞれのシートは両側に分離可能であり、かつ、前記それぞれのシートの間を海苔の収納スペースとし、
前記裏側のシート面上に前記分離する方向に沿って配置されるご飯に、前記収納スペースに海苔が配置された両シートが一体に巻き付けられて棒状の包装体を形成するように使用されることを特徴とする海苔巻きご飯の包装材。
【発明の詳細な説明】
【技術分野】
【０００１】  この発明は、包装状態の海苔巻きご飯を得るための包装材に関する。
【背景技術】
【０００２】  最近コンビニエンスストア等で包装状態とした海苔巻きおにぎりが、また、同様に「細巻き」等と呼ばれる海苔巻きご飯が販売されている。この種包装形態が採用されることで、外装のシートを取り外すことで乾燥状態の「ぱりっ」とした食感の海苔が巻かれた美味しいおにぎり、海苔巻きご飯が食することができるようになっている。
【発明の開示】
【発明が解決しようとする課題】
【０００３】  しかしながら、上記の細巻き等の海苔巻きご飯は、包装を解いて取り出した海苔により棒状のご飯塊を巻くようにしており、その作業に手間がかかっておにぎりのように簡単に食べることができないのが現状である。【０００４】  この発明では、お弁当等に好適で、家庭においても容易に作成可能な棒状の海苔巻きご飯の包装形態が得られるようにするものである。
【課題の解決手段】
【０００５】  この発明では、表側と裏側の２枚のシートよりなる２層構造で、前記それぞれのシートは両側に分離可能であり、かつ、前記それぞれのシートの間を海苔の収納スペースとし、前記裏側のシート面上に前記分離する方向に沿って配置されるご飯に、前記収納スペースに海苔が配置された両シートが一体に巻き付けられて棒状の包装体を形成するように使用されることを特徴とする海苔巻きご飯の包装材を提供する。
【０００６】  上記構成によれば、海苔が収納スペースに配置された包装材をご飯に巻き付け、それを両側に切り離すことで棒状の海苔巻きご飯が取り出される。包装状態において持ち運びが行え、食する際に「ぱりっ」とした食感の海苔が巻かれた美味しい棒状の海苔巻きご飯が得られる。
【発明の効果】
【０００７】  この発明によれば、お弁当等に好適で、家庭においても容易に作成可能な棒状の海苔巻きご飯の包装形態が得られるようになる。
【発明を実施するための最良の形態】
【０００８】  図１はこの発明の海苔巻きご飯の包装材の裏面側の平面図、図２は同裏面側を上部とする断面図、図３は包装状態の斜視図、図４は包装状態の拡大断面斜視図である。【０００９】  包装材１は２枚の透明の樹脂シート２、３よりなる。樹脂シート２は一方側が裏側に折り返され、その端縁部分２ａは包装材１の表面幅の略中央位置に至る。樹脂シート３は包装材１の略半分幅でその中央側の端縁部分３ａは上記樹脂シート２の表側部分と上記端縁部分２ａの間に挟まれるように位置するとともに、側方側の端縁部分３ｂは樹脂シート２の表側部分の端縁部分２ｂより内側に位置するように配置される。樹脂シート３としては表面が若干粗いものを用いている。上記のように配置された２枚の樹脂シート２、３が上縁部、下縁部位置それぞれで溶着されることで一体とされている。【００１０】  上記の樹脂シート２の表側部分がこの考案の表側の樹脂シートを構成し、上記樹脂シート２の裏側への折り返し部分と樹脂シート３とがこの考案の裏側の樹脂シートを構成し、それら表側の樹脂シートと裏側の樹脂シートとの間に海苔の収納スペースＳが設けられている。【００１１】  上記樹脂シート２の表側部分中央位置には縦方向に点線状の切り込み５による分離用帯部８が設けられており、分離用帯部８の端部は指かけ部９とされている。さらに、樹脂シート２の表面には４個の海苔配置のための案内位置マーク１５とご飯配置のための案内位置マーク１６がそれぞれ印刷により付されている。【００１２】  以下、上記包装材１によるおにぎりの包装作業を説明する。包装材１を、図１に示すように、裏面側を上として置き、まず海苔Ｎを右側から樹脂シート２、３間の海苔の収納スペースＳ内に差し入れて案内位置マーク１５それぞれを目安として配置する。その際樹脂シート３の側方側の端縁部分３ｂが樹脂シート２の表面側の端縁部分２ｂより内側とされていることで、その差し入れが端縁部分２ｂを案内として容易に行われる。海苔Ｎとしては巻寿司を作る際に通常使用する「全判」形態の海苔を横長に２枚にカットした「半判」形態のものを使用する。【００１３】  次にご飯Ｒ１を海苔Ｎの上にほぼ沿うように樹脂シート２、３上に所定の厚みに面状に敷設配置し、さらに、そのご飯Ｒ１上の上下方向における中央位置に長手方向に沿って好みの具材Ｇ、例えばウィンナー等を置く。【００１４】  上記のように具材Ｇを置いた面状のご飯Ｒ１を、樹脂シート２、３を一体に持つことで具材Ｇに巻き付けるようにする。すなわち、樹脂シート２、３を巻き寿司を作る際に用いるスノコの代わりとして用いる。このようにして、樹脂シート２、３が具材Ｇが中心に位置する丸棒状のご飯Ｒ１に巻き付けられ、その余った両端部分が金属線が内蔵される固定リボン１９により固定されることで、図３、図４に示す棒状の包装体Ｆが得られる。【００１５】  海苔巻きご飯の取り出しは、指かけ部９を持って分離用帯部８を切り取り、これにより分離された包装材１を左右に分離して取り外すことで、棒状のご飯Ｒ１の周面の全体に海苔Ｎが巻かれた海苔巻きご飯が取り出される。【００１６】  上記取り出しに際しての包装材１の両側への分離は、まず樹脂シート３を一体とする側を引き抜くように取り外すことで行う。樹脂シート３は上記したように表面が若干粗い構成であるのでご飯Ｒ１に付着しにくく、したがってその取り外しがスムーズに行われる。そして、包装材１の樹脂シート３を一体とする側を取り外すことで露呈する海苔Ｎが巻かれた海苔巻きご飯の片側を持ち、包装材１の樹脂シート２側のみよりなる他方側を引き抜くようにして取り外す。固定リボン１９は取り外すことなく分離された包装材１とともに廃棄される。【００１７】  図４は棒状ご飯Ｒ２を作るプラスチックス製器具１００であり、一対の断面半円状の容器１０１の一端縁が互いに一体に連続されて形成されている。この器具１００によれば、それぞれの容器１０１にご飯を多い目にいれ閉じて固めることで、所定の形態の棒状のご飯Ｒ２が容易に得られる。この棒状のご飯Ｒ２を用いれば、そのご飯Ｒ２に単に樹脂シート２、３を巻き付けるだけで包装状態とすることができる。その際には、案内位置マーク１６を案内として樹脂シート２、３上にご飯Ｒ２を配置する。【００１８】  上記の包装材１に包装時に使用する固定リボン１９やプラスチックス器具１
００がセットされて提供されることで、棒状の海苔巻きご飯の製作が容易にでき、とくに、固定リボン１９の使用により装飾性に優れ子供のお弁当等用として好適な包装形態の海苔巻きご飯が得られる。
【図面の簡単な説明】
【図１】  この発明の包装材の実施形態の裏面側平面図
【図２】  この発明の包装材の実施形態の裏面側を上部とする断面図
【図３】  この発明の包装材による包装状態の実施形態の斜視図
【図４】  この発明の包装材による包装状態の実施形態の拡大断面斜視図
【図５】  ご飯の製作用器具の実施形態の斜視図
【符号の説明】
１  包装材
２  樹脂シート（表側シート、裏側シート）
３  樹脂シート（裏側シート）
Ｓ  収納スペース
Ｎ  海苔
Ｒ１  ご飯
Ｆ  包装体
【図１】
2009184727.tif 000003
【図２】
2009184727.tif 000004
【図３】
2009184727.tif 000005
【図４】
2009184727.tif 000006
【図５】
2009184727.tif 000007